(57)【要約】      （修正有）【課題】  あらゆる方向からの力に対抗してロール製品を確実に固定することができ、収納、取り出しが容易であり、かつ、ロール支軸の径が変更されても受け台の交換不要なロール製品用コンテナを提供する。【解決手段】  円筒形支軸R1にシート状物を巻き付けてなるロール製品Rを収納するためのコンテナであって、このコンテナは前記支軸を保持する一対の保持機構7を備え、この保持機構は、支軸の両端部近辺が載置される受け台8と、支軸端部に近接して配置され支軸端部を挟持してロール製品を固定するための取っ手付き挟持部9を主要部とし、この挟持部は台座9ｂを有し、この台座の前記受け台側には、支軸の円筒孔内部に差込んでロール製品を懸架させるためのディスク９ｃ、台座と受け台とを連結するための受け台を貫通するロッド12とその貫通側に巻回させたスプリング13が設けられていて、前記台座と受け台とが蝶ネジ14によって随時固定可能とされている。【選択図】  図４
2006143275.tif 000002
【特許請求の範囲】
【請求項１】
円筒形支軸にシート状物を巻き付けてなるロール製品を収納するためのコンテナであって、このコンテナは前記支軸を保持する一対の保持機構を備え、この保持機構は、支軸の両端部近辺が載置される受け台と、前記支軸の端部に近接して配置され支軸端部を挟持してロール製品を固定するための取っ手付き挟持部を備え、この挟持部は台座を有するとともに台座の前記受け台側には、支軸の円筒孔内部に差込んでロール製品を懸架させるためのディスクが設けられ、更に、前記台座と受け台とが止着具によって固定可能とされていることを特徴とするロール製品用コンテナ。
【請求項２】
請求項１に記載のロール製品用コンテナにおいて、前記挟持部は台座と受け台とを連結する手段を設けたことを特徴とするロール製品用コンテナ。
【請求項３】
請求項２に記載のロール製品用コンテナにおいて、前記台座と受け台とを連結する手段が、受け台を貫通するロッドとその貫通側に巻回させたスプリングとからなることを特徴とするロール製品用コンテナ。
【請求項４】
請求項１乃至請求項３の何れかに記載のロール製品用コンテナにおいて、前記台座の少なくとも一方に、シート状物固定用の移動型スペーサを設置したことを特徴とするロール製品用コンテナ。
【発明の詳細な説明】
【技術分野】
【０００１】
本発明は、円筒形支軸にシート状物、例えばＰＤＰ（プラズマディスプレイパネル）の構成材料として用いる転写フィルム等を巻き付けたロール製品を、収納、搬送する際に利用するコンテナに関する。
【背景技術】
【０００２】
例えば、ＰＤＰ（プラズマディスプレイパネル）の誘電体層、電極、隔壁、蛍光体、抵抗体、カラーフィルタ、ブラックマトリックスなどを構成する材料は液状で取り扱われることが多いが、一部は転写フィルムの形態で取り扱われる。
【０００３】
転写フィルムの形態の場合は、ポリエチレンテレフタレート等の支持フィルム上に上記の材料層を剥離可能に形成し、さらに材料層の上に必要に応じてカバーフィルムを形成した２層または３層構造の転写フィルムを円筒形の支軸に巻回してロール状とし、このロール製品をポリエチレン製の袋に入れ、コンテナに収納した状態で保管、あるいは搬送するようにしている。
【０００４】
上記転写フィルムを巻回したロール製品がコンテナ内で不安定な状態で収納されていると材料層に悪影響を与える。そこで特許文献１および特許文献２に開示されるようなコンテナ（梱包箱）が提案されている。
【０００５】
特許文献１に開示されるコンテナは、パレット上に一対の受け台を設け、この受け台に形成した受け溝にロール製品の両側から突出している支軸を載せ、この上から抑え部材で押さえ付けることで、ロール製品を固定する構造になっている。
また、特許文献２に開示される梱包箱は、文献１と同様、一対の受け台を設け、この受け台と押さえ部材とによってロール体の支管を挟持させる点は同じであるが、上記受け台と押さえ部材それぞれの支管を挟持させる部分に、弾性体よりなる摩擦材を設けている。
【特許文献１】特開２００２−２０５７８９号公報
【特許文献２】特開２００３−１０４４８０号公報
【発明の開示】
【発明が解決しようとする課題】
【０００６】
上述した特許文献１および２に開示されるコンテナにあっては、ロール製品の支軸を上下方向から押さえつけるので、上下方向の動きに対しては十分に対処できるが、ロール製品の軸方向に強い力が加わった場合にはズレが生じるおそれがある。このため、例えばトラックなどで搬送する場合にはトラックの進行方向と軸方向とが直交するように積載しなければならず、作業者に余分な注意を喚起しなければならない。
【０００７】
また、特許文献１および２に開示されるコンテナにあっては、受け台にロール製品の支軸が嵌り込む半円形の溝（凹部）を形成しており、ロール製品の機種変更によって支軸の径が変更されると、受け台ごと交換しなければならない。
【課題を解決するための手段】
【０００８】
本発明の目的は、あらゆる方向からの力に対抗してロール製品を確実に固定することができ、収納、取り出しが容易であり、かつ、ロール支軸の径が変更されても受け台の交換不要なロール製品用コンテナを提供することである。
【０００９】
上記課題を解決するため本発明のロール製品用コンテナは、円筒形支軸にシート状物を巻き付けてなるロール製品を収納するためのコンテナであって、このコンテナは前記支軸を保持する一対の保持機構を備え、この保持機構は、支軸の両端部近辺が載置される受け台と、前記支軸の端部に近接して配置され支軸端部を挟持してロール製品を固定するための取っ手付き挟持部を備え、この挟持部は台座を有するとともに台座の前記受け台側には、支軸の円筒孔内部に差込んでロール製品を懸架させるためのディスクが設けられ、更に、前記台座と受け台とが止着具によって固定可能とされた構成とした。
【００１０】
前記取っ手付き挟持部には、台座と受け台とを連結する手段を設けることが好ましい。この連結手段としては、例えば受け台を貫通するロッドとその貫通側に巻回させたスプリングとから構成される。また、少なくとも一方の前記台座に、シート状物固定用の移動型スペーサを設置することが好ましい。
【発明の効果】
【００１１】
本発明のロール製品用コンテナは、取っ手付き挟持部のディスクを円筒形支軸の両端から差込み、スプリングの圧力と蝶ネジによって挟持部を受け台に固定するため、あらゆる方向からの力にも対抗してロール製品を確実に固定することができる。
【００１２】
また、スプリングの弾性力を利用した操作と蝶ネジ止めだけで良いため、収納、取り出し作業が容易である。さらに円筒形支軸は、その端部を一対の台座によって挟持させることで固定するため、ロール製品の機種変更によって支軸の径が変更されても対応可能である。
【００１３】
また、台座に移動型スペーサを設けた場合は、円筒形支軸に巻回されたシート状物が運搬時の衝撃等によって支軸上でズレて巻きが緩む等のトラブルを防止できる。
【発明を実施するための最良の形態】
【００１４】
以下に本発明の実施例を添付図面に基づいて説明する。図１は本発明に係るロール製品用コンテナの蓋体を外した状態の斜視図、図２は保持機構の端面図、図３は図２のＡ方向矢示図、図４は図２のＢ方向矢示図である。
【００１５】
ロール製品用コンテナは本体１と下面を開放したボックス状蓋体２から構成され、ボックス状蓋体２の上面の四隅には段積みの際の位置決め用凸部３が設けられている。なお、この凸部３と係合する凹部についての図示は省略するがコンテナ本体１の下面に形成されている。
【００１６】
一方、コンテナ本体１は平板状パレット４の下面に脚部５を設け、また平板状パレット４の上面には周縁部に沿って蓋体２を冠した際のガタツキを防止するための凸条６が形成され、この凸条６の内側に対をなす保持機構７、７を設けている。図示例では２対の保持機構７を設けているが、これは一対であっても３対以上であってもよい。また、保持機構７は製品ロールの長さに合わせて動かせるようにしてもよい。
【００１７】
保持機構７は受け台８と取っ手付き挟持部９からなる。図２〜図４に示すように、受け台８はＶ字状切込みの上部をロール製品Ｒの受け面１０とし、ロール製品Ｒの円筒形支軸Ｒ１の外径寸法に左右されずに円筒形支軸Ｒ１を支持することができるようにしている。なお、受け面１０の上面には衝撃を吸収する弾性シート１１を貼着している。
【００１８】
また図４に示すように、取っ手付き挟持部９は、取っ手９ａと台座９ｂを有し、この台座９ｂの受け台８に対向する側には、円筒形支軸Ｒ１の円筒孔内部に差込んでロール製品を懸架させるためのディスク９ｃが設けられている。
【００１９】
さらに台座９ｂには、受け台８と摺動自在に連結するためのロッド１２を受け台８を貫通して設け、このロッド１２の貫通側にスプリング１３を縮装し、取っ手付き挟持部９を閉じ方向に付勢している。また、台座９ｂと受け台８とは蝶ネジ１４によって随時固定可能としている。
【００２０】
また、図３に示すように受け台８には、支軸Ｒ１に巻回されたシート状物が運搬時の衝撃等によって支軸Ｒ１上でズレて巻きが緩む等のトラブルが生じないよう、シート状物を固定するための移動型スペーサ１５が取り付けられている。
【００２１】
以上において、コンテナ本体１にロール製品Ｒを収納するには、蝶ネジ１４を台座９ｂから開放した状態で一対の受け台８の両受け面１０にロール製品Ｒの円筒形支軸Ｒ１の端部近辺を懸架する。このとき、台座９ｂはスプリング１３の作用により受け台８の外面に押し付けられている。
【００２２】
次に、一方の保持機構７の取っ手９ａを、スプリング１３を縮ませる方向、即ち取っ手付き挟持部９を受け台８から引き離す方向に引っぱりながら、ディスク９ｃを円筒形支軸Ｒ１端部の円筒孔内部に差し込み手を放す。するとスプリング１３の弾発力によりディスク９ｃは円筒孔内部に押し付けられる。また、反対側の円筒形支軸Ｒ１端部についても同様の操作を行なってディスク９ｃを差込む。このとき、円筒孔内径よりもディスク９ｃの外形が僅かに小さいためロール製品Ｒを完全に固定することができる。
【００２３】
また、ディスク９ｃにテーパを付けておけば、ロール製品Ｒの機種変更によって支軸Ｒ１の径が多少変更されても対応可能である。しかし、ディスク９ｃの外形が円筒孔内径よりも小さいという条件さえ満たせば、円筒形支軸Ｒ１端部は一対の台座９ｂによって挟持されるため問題はない。
【００２４】
最後に、蝶ネジ１４で取っ手付き挟持部９を受け台８に固定して収納作業は完了する。また、取り出し時には上記述べた手順の逆を行なえば良く、容易にロール製品Ｒを取り外すことができる。
【００２５】
なお、ロール製品Ｒをディスク９ｃで懸架させることにより、円筒形支軸Ｒ１端部は受け台８から浮き上がる場合があるが、上記のように蝶ネジ１４を締めることによって取っ手付き挟持部９は受け台８と一体化されるため、ロール製品Ｒは受け台８に完全固定されていると同様の状態となる。したがって安定して収納され搬送時にもコンテナ本体１内部で動くことはない。
【産業上の利用可能性】
【００２６】
本発明のロール製品用コンテナは、ロール製品の収納、取り出しが容易で運搬中の荷ずれ等を防ぐことができる等の利点があるため、ＰＤＰ（プラズマディスプレイパネル）の誘電体層、電極、隔壁、蛍光体、抵抗体、カラーフィルタ、ブラックマトリックス等の各原料を転写シート形態で取り扱う際に有用である。
【図面の簡単な説明】
【００２７】
【図１】本発明に係るロール製品用コンテナの蓋体を外した状態の斜視図。
【図２】本発明に係る保持機構の端面図。
【図３】図２のＡ方向矢示図。
【図４】図２のＢ方向矢示図。
【符号の説明】
【００２８】
１…コンテナ本体、２…ボックス状蓋体、３…位置決め用凸部、４…平板状パレット、５…脚部、６…凸条、７…保持機構、８…受け台、９…取っ手付き挟持部、９ａ…取っ手、９ｂ…台座、９ｃ…ディスク、１０…受け面、ｌ１…弾性シート、１２…ロッド、１３…スプリング、１４…蝶ネジ、１５…移動型スペーサ、Ｒ…ロール製品、Ｒ１…円筒形支軸。
【図１】
2006143275.tif 000003
【図２】
2006143275.tif 000004
【図３】
2006143275.tif 000005
【図４】
2006143275.tif 000006